(57)【要約】      （修正有）【課題】複合方式で電源を供給する燃料電池装置を提供する。【解決手段】複合方式で電源を供給する燃料電池装置に関り、両極の燃料電池板、及び、補助電力供給デバイス１３を含む。両極の燃料電池には、1個以上の燃料電池ユニット１０を含む。補助電力供給デバイスは、両極の燃料電池板、及び／或いは、インターポーザー基板上に設置され、且つ、これら電池ユニットと電気的に接続し、また、該インターポーザー基板が該燃料電池装置内に挟在する。これにより、これら燃料電池ユニットで発生した電力と該補助電力供給デバイスから発生した電力を併合して給電することで、安定した電源出力を形成することを特徴とする。【選択図】図１
0003119914.tif 000002
【実用新案登録請求の範囲】
【請求項１】
複合方式で電源を供給する燃料電池装置において、
1個以上の燃料電池ユニットを含む両極の燃料電池と、
該両極の燃料電池板、及び／或いは、インターポーザー基板上に設置され、且つ、これら電池ユニットと電気的に接続し、該インターポーザー基板が該燃料電池装置内に挟在する補助電力供給デバイスを含み、
これにより、これら燃料電池ユニットで発生した電力と該補助電力供給デバイスから発生した電力を併合して給電することで、安定した電源出力を形成することを特徴とする、複合方式で電源を供給する燃料電池装置。
【請求項２】
請求項１記載の燃料電池装置において、更に一歩進んで、該両極の燃料電池板と密接に接合する流路板を含み、且つ、該補助電力供給デバイスを該流路板上に変更して設置することを特徴とする、燃料電池装置。
【請求項３】
請求項１記載の燃料電池装置において、その両極の燃料電池板は更に一歩進んで、陽極の集電板、陰極の集電板、及び、1個以上の膜電極接合体を含み、これら膜電極接合体は該陽極の集電板と該陰極の集電板の間に挟持されることで、これら燃料電池ユニットを構成することを特徴とする、燃料電池装置。
【請求項４】
請求項３記載の燃料電池装置において、その補助電力供給デバイスは、該陽極の集電板に設置することを特徴とする、燃料電池装置。
【請求項５】
請求項３記載の燃料電池装置において、その補助電力供給デバイスは、該陰極の集電板に設置することを特徴とする、燃料電池装置。
【請求項６】
請求項1記載の燃料電池装置において、その補助電力供給デバイスは、スーパーコンデンサ、一次電池、二次電池のいずれかであることを特徴とする、燃料電池装置。
【請求項７】
請求項１記載の燃料電池装置において、更に一歩進んで、こられ燃料電池ユニットと該補助電力供給デバイスにそれぞれ接続する電子回路を含むことを特徴とする燃料電池装置。
【請求項８】
請求項１記載の燃料電池装置において、その両極の燃料電池板に更に一歩進んで、これら燃料電池ユニットから生じた電力、及び／或いは、該補助電力供給デバイスから生じた電力を出力することに用いる接続インターフェースを含むことを特徴とする、燃料電池装置。
【請求項９】
請求項６記載の燃料電池装置において、その一次電池は超小型の一次電池であることを特徴とする、燃料電池装置。
【請求項１０】
請求項６記載の燃料電池装置において、その二次電池は超小型の二次電池であることを特徴とする、燃料電池装置。
【考案の詳細な説明】
【技術分野】
【０００１】
本考案は、燃料電池装置に関り、特に、補助電力供給デイバスを燃料電池装置に増設することで、複合方式で電源供給を形成する燃料電池装置に関る。
【背景技術】
【０００２】
例えばメタノール燃料電池のように従来の燃料電池は、メタノールなどの水素を含む燃料を利用し、電気化学的反応を起すことで電力が生じる。しかし、こられ燃料電池が反応を始めた時、燃料の温度が比較的低いため、その反応速度も比較的遅く、且つ一定時間を経過した後で、燃料電池の出力力率がピークに達し始めて、安定した力率出力を相当維持できるが、このため、初期段階の力率値は、電気器具装置に使用する供給が不足する。更に、燃料電池が作動している時、その力率が安定して出力できるが、温度、濃度、圧力、流れ場などの要素に影響を受けてしまい、最悪の状況になると、電気装置の作動異常を引き起こす可能がある。
【０００３】
本考案は、従来の燃料電池の欠陥に鑑み、改良に努めることで、複合方式で電源を供給する燃料電池装置を創作して給電品質を向上した。
【考案の開示】
【考案が解決しようとする課題】
【０００４】
本考案の主要な目的は、複合方式で電源を供給する燃料電池装置を提供することにあり、補助電力供給デバイスを統合して具備することにある。
【０００５】
本考案の別な目的は、複合方式で電源を供給する燃料電池装置を提供することにあり、燃料電池ユニットの力率出力が不足する時、補助電力供給デバイスを介して安定した力率出力を提供できることにある。
【課題を解決するための手段】
【０００６】
前記の目的を達成するために、本考案では、提供する複合方式で電源を供給する燃料電池装置において、主に両極の燃料電池板及び補助電力供給デバイスを含む。両極の燃料電池には、1個以上の燃料電池ユニットを含む。補助電力供給デバイスは、両極の燃料電池板及び／或いはインターポーザー基板上に設置され、且つこれら電池ユニットと電気的に接続し、また、該インターポーザー基板が該燃料電池装置内に挟在する。これにより、これら燃料電池ユニットで発生した電力と該補助電力供給デバイスから発生した電力を併合して給電することで、安定した電源出力を形成する。
【０００７】
該項目を熟知する技術者に本考案の目的、特徴及び効果を理解してもらうため、下記の具体的な実施例を介し付属の図式を組み合わせることで、本考案に対する詳細な説明を以下のとおり行うものである。
【考案の効果】
【０００８】
本考案は、その他の電力源を併合することで、複合方式で電源を供給する燃料電池装置を形成し、確実に燃料電池の給電品質の向上、及び安定した力率を出力することができることが、本考案の長所である。
【実施例】
【０００９】
本考案の複合方式で電源を供給する燃料電池装置１の主な特徴は、燃料電池ユニットから生じる電力とその他の電力源から生じる電力を併合することで、燃料電池ユニットを起動し始めた時間内において、供給電力の力率が不足するような状況を補うことができることにある。
【００１０】
図１は、本考案である複合方式で電源を供給する燃料電池装置の立体見取図、及び図２は本考案である複合方式で電源を供給する燃料電池装置の分解図である。本考案である複合方式で電源を供給する燃料電池装置１は、両極の燃料電池板１１及び補助電力供給デバイス１３を含み、その両極の燃料電池板１１は、陰極の集電板１１１、陽極の集電板１１５及び1個以上の膜電極接合体１１３で構成され、また陰極の集電板１１１上にこれら膜電極接合体１１３に対応する陰極の集電回路１１１ａを設置され、陽極の１１５上にこれら膜電極接合体１１３に対応する陽極の集電回路１１５ａを設置され、且つ各膜電極接合体１１３がそれぞれ対応する陰極の集電回路１１１ａと陽極の集電回路１１５ａの間に挟持され、これによりこれら燃料電池ユニット１０を構成する。
【００１１】
図２を見ると、本考案の補助電力供給デバイス１３の設置位置について、陰極の集電板１１１上を選択することができ、例えば補助電力供給デバイス１３を陰極の集電板１１１の頂面（Top surface）或いは底面（Bottom surface）に溶接する。或いは補助電力供給デバイス１３の設置位置は陽極の集電板１１５上を選択し、例えば補助電力供給デバイス１３を陽極の集電板１１５の頂面（Top surface）或いは底面（Bottom surface）に溶接する。
【００１２】
図２を見ると、補助電力供給デバイス１３は、別の設置方法を用いることができる。その変更方法は、補助電力供給デバイス１３を流路板１５上に設置することにある。
【００１３】
図３を見ると、本考案では、1枚のインターポーザー基板１７で補助電力供給デバイス１３を設置することができ、例えば補助電力供給デバイス１３をプリント回路板材質のインターポーザー基板１７上に溶接し、且つこれら透かし彫りエリア１７ａをこれら膜電極接合体１１３に対応してインターポーザー基板１７を燃料電池装置１のサンドイッチ層内において密接に接合し、またサンドイッチ層としたインターポーザー基板１７を陰極の集電板１１１の底面に貼り合わせ、或いは陽極の集電板１１５の頂面に貼り合わせることを選択できる。
【００１４】
図４は、本考案のこれら燃料電池ユニットが補助電力供給デバイスと電気的に接続している見取図である。これら燃料電池ユニット１０は、電子回路１９を経由して補助電力供給デバイス１３に接続し、また電子回路１９の具体的な態様を保護回路、定電圧回路、電力併合回路などとすることができる。
【００１５】
本考案である両極の燃料電池板１１は、接続インターフェース１１７を含むことができ、両極の燃料電池板１１の側辺に設置し、接続インターフェース１１７の主要な機能はこれら燃料電池ユニット１０から生じた電力と補助電力供給デバイス１３から生じた電力を出力することに用いる。
【００１６】
上記の陰極の集電板１１１と陽極の集電板１１５は、例えばプリント回路板の材質を基材とすることや銅箔プリント回路板を基材として用いることができ、且つプリント回路板の製造工程を利用してそれぞれ陰極の集電回路１１１ａと陽極の集電回路１１５ａを製作する。或いは銅フリーのプリント回路板の材質、またスパッタリング、蒸着、貼り合わせ、導電性カーボンインク（Ｃａｒｂｏｎ Ｉｎｋ）などの方法を用いて、陰極の集電回路１１１ａと陽極の集電回路１１５ａを製作する。更に、これら陰極の集電回路１１１ａとこれら陽極の集電回路１１５ａのエリア内において、多くの小貫通孔を設置することで、燃料がこれら小貫通孔を通過してこれら膜電極接合体１１３に進入することができる。
【００１７】
補助電力供給デバイス１３の設置数量は制限されることは無く、また補助電力供給デバイス１３はスーパーコンデンサ、超小型の一次電池、超小型の二次電池などを用いて、その他電力源の実現手段とすることができる。
【００１８】
本考案は、燃料電池装置１内の燃料電池ユニット１０が起動し始めた時、燃料電池ユニット１０が最適の反応状態に達していないため、十分な力率が出力できないことを改善することができる。これにより、補助電力供給デバイス１３の電力がこの時直ちに作用を発揮することができる。
【００１９】
以上、開示したものは、本考案の解釈として最良実施例であるが、これによって本考案に対してどのような形式上の限定を意図するものではなくため、同様な創作精神のもとで本考案に関するいかなる修飾或いは改変も全て本考案の意図した保護範囲にある。
【図面の簡単な説明】
【００２０】
【図１】本考案である複合方式で電源を供給する燃料電池装置の立体見取図である。
【図２】本考案である複合方式で電源を供給する燃料電池装置の分解図である。
【図３】本考案である複合方式で電源を供給する燃料電池装置の変化実施例の分解図である。
【図４】本考案のこれら燃料電池ユニットが補助電力供給デバイスと電気的に接続している見取図である。
【符号の説明】
【００２１】
１  燃料電池装置
１０  燃料電池ユニット
１１  両極の燃料電池板
１３  補助電力供給デバイス
１５  流路板
１７  インターポーザー基板
１７ａ  透かし彫りエリア
１９  電子回路
１１１  陰極の集電板
１１１ａ 陰極の集電回路
１１３  膜電極接合体
１１５  陽極の集電板
１１５ａ 陽極の集電回路
１１７  接続インターフェース
【図１】
0003119914.tif 000003
【図２】
0003119914.tif 000004
【図３】
0003119914.tif 000005
【図４】
0003119914.tif 000006